(57)【特許請求の範囲】
【請求項１】
脚部、座面および背もたれを備えた椅子であって、
前記座面および背もたれの高さ位置を調整可能であるとともに、前記座面の前後位置を調整可能であり、前記座面の前後位置の調整を、前記座面の前後方向の向きを変えて固定することにより行なうことを特徴とする椅子。
【請求項２】
請求項１の椅子において、
座面の前後位置の調整に関して、座部における座貫上に座面が着脱自在に支持され、前記座貫に貫通部が二つ設けられ、前記二つの貫通部は座面の前後方向に並べられ、前記座面の下面に第一ないし第四の雌ネジが設けられ、前記第一ないし第四の雌ネジは座面の前後方向に並べられ、前記二つの貫通部間の距離をａ、座面の前後方向一方の端部から第一の雌ネジまでの距離をｂ、座面の前後方向一方の端部から第二の雌ネジまでの距離をｃ、座面の前後方向他方の端部から第三の雌ネジまでの距離をｄ、座面の前後方向他方の端部から第四の雌ネジまでの距離をｅ、第二および第三の雌ネジ間の距離をｆとして、
ｃ＞ｂ＞ｄ＞ｅ
かつ（ｃ−ｂ）＋ｆ＝（ｄ−ｅ）＋ｆ＝ａ
の関係を充足することを特徴とする椅子。
【発明の詳細な説明】
【０００１】
【発明の属する技術分野】
本発明は、椅子に係り、例えば学習机とともに利用される子供用の椅子として用いられるのに適した椅子に関するものである。
【０００２】
【従来の技術】
従来から、学習机とともに利用される子供用の椅子として、子供の成長に合わせて座面の高さを調整できるようにした椅子が知られている。
【０００３】
しかしながら、この種の椅子は、座面の高さを調整できるだけで背もたれの高さや座面の奥行きを調整することができないために、座面の高さを変更するのに伴って座り心地が徐々に悪化する場合があると云う不都合を有している。
【０００４】
【発明が解決しようとする課題】
本発明は以上の点に鑑みて、座面の高さのみでなく背もたれの高さや座面の奥行き等を調整することが可能であり、もって座面の高さ位置の如何にかかわらず座り心地の良い椅子を提供することを目的とする。
【０００５】
【課題を解決するための手段】
上記目的を達成するため、本発明の請求項１による椅子は、脚部、座面および背もたれを備えた椅子であって、前記座面および背もたれの高さ位置を調整可能であるとともに、前記座面の前後位置を調整可能であり、前記座面の前後位置の調整を、前記座面の前後方向の向きを変えて固定することにより行なうことを特徴とするものである。
【０００８】
また、本発明の請求項２による椅子は、上記した請求項１の椅子において、座面の前後位置の調整に関して、座部における座貫上に座面が着脱自在に支持され、前記座貫に貫通部が二つ設けられ、前記二つの貫通部は座面の前後方向に並べられ、前記座面の下面に第一ないし第四の雌ネジが設けられ、前記第一ないし第四の雌ネジは座面の前後方向に並べられ、前記二つの貫通部間の距離をａ、座面の前後方向一方の端部から第一の雌ネジまでの距離をｂ、座面の前後方向一方の端部から第二の雌ネジまでの距離をｃ、座面の前後方向他方の端部から第三の雌ネジまでの距離をｄ、座面の前後方向他方の端部から第四の雌ネジまでの距離をｅ、第二および第三の雌ネジ間の距離をｆとして、
ｃ＞ｂ＞ｄ＞ｅ
かつ（ｃ−ｂ）＋ｆ＝（ｄ−ｅ）＋ｆ＝ａ
の関係を充足することを特徴とするものである。
【００１１】
上記構成を備えた本発明の請求項１による椅子においては、脚部、座面および背もたれを備えた椅子において、座面および背もたれの高さ位置を調整可能とされるとともに座面の前後位置を調整可能とされているために、子供の成長等に合わせて座面の高さ位置のみでなく、背もたれの高さ位置や座面の奥行きを調整することが可能となる。座面の前後位置の調整に関しては、後記するように座面を着脱自在に支持する座貫に上下方向に貫通する貫通部を設け、座面の下面に複数の雌ネジを座面の前後方向に並べて設け、雄ネジを貫通部に差し通して一の雌ネジにねじ込むことにより座面の前後位置を特定するのが好適であり、この調整手段によれば、座面の前後位置を座面の下面に設ける雌ネジの数に応じて段階的に調整することが可能となる。
【００１３】
また、座面の前後位置の調整を座面の前後方向の向きを変えて固定することにより行なうものとされているために、貫通部や雌ネジ等の締結手段の形成数が少ない場合であっても座面の前後位置の調整段数を多く設定することが可能となり、例えば請求項２に記載したように座面の前後位置の調整に関して、座面を着脱自在に支持する座貫に貫通部を二つ座面の前後方向に並べて設け、座面の下面に第一ないし第四の雌ネジを座面の前後方向に並べて設け、二つの貫通部間の距離をａ、座面の前後方向一方の端部から第一の雌ネジまでの距離をｂ、座面の前後方向一方の端部から第二の雌ネジまでの距離をｃ、座面の前後方向他方の端部から第三の雌ネジまでの距離をｄ、座面の前後方向他方の端部から第四の雌ネジまでの距離をｅ、第二および第三の雌ネジ間の距離をｆとして、
ｃ＞ｂ＞ｄ＞ｅ
かつ（ｃ−ｂ）＋ｆ＝（ｄ−ｅ）＋ｆ＝ａ
の関係を充足する場合には、座貫に貫通部を二つ、座面に雌ネジを四つ設けるだけで、座面の前後位置を四段階に亙って調整することが可能となる。
【００１４】
また、本発明の椅子は、上記したように子供の成長に合わせて座面の高さ位置のみでなく背もたれの高さ位置や座面の奥行きを同時に調整すべく、学習机とともに利用される子供用の椅子として用いるのが好適である。また、座面の高さ位置や前後位置を調整するときに使用する六角レンチを差し込んで保管するための収容凹部を座貫の内面などの外部から見えにくい部位に設けると、使用頻度の低い六角レンチの紛失を防止することが可能となる。
【００１５】
【発明の実施の形態】
つぎに本発明の実施例を図面にしたがって説明する。
【００１６】
図１は、本発明の実施例に係る椅子の平面図、図２は正面図、図３は側面図、図４は斜視図をそれぞれ示している。
【００１７】
当該実施例に係る椅子１は、学習机とともに利用される子供用の椅子として用いられるものであって、図３（Ａ）ないし（Ｄ）に示すように、座面（座板とも称する）２１を備えた座部１１および背もたれ（背部とも称する）１２の高さ位置（上下方向位置）を上下四段階に亙って調整可能とされるとともに、座部１１における座面２１の前後位置（前後方向位置）を前後四段階に亙って調整可能とされている。図３においては、図上左側の（Ａ）が座部１１および背もたれ１２の高さ位置が最も高くかつ座面２１の前後位置が最も前方に位置して座面２１の奥行きが最も深く設定された状態を示しており、以下（Ｂ）（Ｃ）および（Ｄ）の順に、座部１１および背もたれ１２の高さが徐々に低くかつ座面２１の前後位置が徐々に後ろに下がって座面２１の奥行きが徐々に浅くなるように変更されている。尚、子供の成長に合わせて座部１１および背もたれ１２の高さ位置ならびに座面２１の前後位置を調整するには、上記説明とは反対に図３（Ｄ）から（Ｃ）（Ｂ）および（Ａ）へと調整作業を行なうことになる。図４（Ａ）は図３（Ａ）に対応する斜視図、図４（Ｂ）は図３（Ｄ）に対応する斜視図である。
【００１８】
当該椅子１は、その主たる構成要素として、脚部２、座部１１および背もたれ１２を備えており、各部がそれぞれ以下のように構成されている。上記したように座面２１は座部１１の一部品である。
【００１９】
すなわち先ず、脚部２は、左右一対の脚３，３を備えており、この脚３がそれぞれ、互い固定的に連結された前脚４および後脚５の組み合わせによって形成されている。図３の側面図に示すように、前脚４の上部は後方に湾曲しており、かつ座面２１よりも上方に配置されて肘掛け６を兼ねている。前脚４と後脚５の間には脚側貫７が固定的に架設され、左右の前脚４，４同士の間には脚前貫８が固定的に架設され、左右の後脚５，５同士の間には脚後貫９が固定的に架設されている。
【００２０】
座部１１および背もたれ１２は互いに一体に形成されていて、左右一対の座側１３，１３を備えており、この座側１３がそれぞれ、互いに固定的に連結された下側座側（座側下とも称する）１４および上側座側（座側上とも称する）１５の組み合わせによって形成されている。下側座側１４は座部１１の一部を構成し、上側座側１５は背もたれ１２の一部を構成している。座側１３はそれぞれ脚３の直ぐ内側に配置され、後述する連結手段によって脚３に着脱自在に連結されている。左右の下側座側１４，１４同士の間には前側座貫１６および後側座貫１７（図７（Ａ）参照）が固定的に架設され、左右の上側座側１５，１５同士の間には下側背貫１８、中央背貫１９および上側背貫２０が固定的に架設され、また前側座貫１６および下側座貫１７の上には座面２１が後述する連結手段によって着脱自在に載せられている。
【００２１】
下側座側１４、前側座貫１６、後側座貫１７および座面２１よりなる座部１１ならびに上側座側１５、下側背貫１８、中央背貫１９および上側背貫２０よりなる背もたれ１２は、以下の連結手段によって脚部２に連結されている。この連結手段は左右対称構造であるため、その一方のみを説明する。
【００２２】
すなわち先ず、図５の分解斜視図に示すように、座部１１における下側座側１４に孔状の貫通部３１が左右方向に貫通するように設けられるとともにこれに対応して脚部２における前脚４の内面に雌ネジ３２が設けられており、雄ネジ３３を貫通部３１に差し通して雌ネジ３２にねじ込むことによって下側座側１４が前脚４に着脱自在に連結されている。また図６の分解斜視図に示すように、座部１１における上側座側１５に孔状の貫通部３４が左右方向に貫通するように設けられるとともにこれに対応して前脚４の内面に雌ネジ３５が設けられており、雄ネジ３６を貫通部３４に差し通して雌ネジ３５にねじ込むことによって上側座側１５が前脚４に着脱自在に連結されている。したがって、左右各二本都合四本のネジ止めにより、座部１１および背もたれ１２が脚部２に対して着脱自在に連結されている。
【００２３】
また、図５に示したように、前脚４の内面に設けられる雌ネジ３２は四つ設けられており、この四つの雌ネジ３２が上下方向に所定の間隔（例えば４５ｍｍ）をもって並んで設けられている。また図６に示したように、上側座側１５に設けられる孔状の貫通部３４はこれも四つ設けられており、この四つの貫通部３４が雌ネジ３２の場合と同じ間隔（例えば４５ｍｍ）をもって上下方向に並んで設けられている。したがって上記連結作業を行なうときに、一番上の雌ネジ３２および貫通部３４に対して雄ネジ３３，３６を用いると、図３（Ａ）および図４（Ａ）に示したように座部１１および背もたれ１２の高さ位置が最も高く設定され、反対に一番下の雌ネジ３２および貫通部３４に対して雄ネジ３３，３６を用いると、図３（Ｄ）および図４（Ｂ）に示したように座部１１および背もたれ１２の高さ位置が最も低く設定されることになり、このようにして当該連結手段によれば、座部１１および背もたれ部１２の高さ位置を雌ネジ３２および孔３４の形成数に合わせて段階的に調整することが可能とされ、これに伴って座面２１の高さ位置も所定の高さ範囲（例えば２８５〜４２０ｍｍ）において雌ネジ３２および孔３４の形成数に合わせて段階的に調整することが可能とされている。尚、下側座側１４に設けられる貫通部３１は、各段における雌ネジ３２および貫通部３４間の寸法差を吸収し得るよう、図５に示したように前後方向に長い長孔とされている。
【００２４】
また、座部１１において、座面２１は以下の連結手段によって前側座貫１６および後側座貫１７に連結されている。
【００２５】
すなわち、図７は当該椅子１から座面２１を取り外した状態を示しており、（Ａ）が座面２１以外の部分の平面図、（Ｂ）が座面２１の平面図を示している。
【００２６】
先ず、同図（Ａ）に示すように、前側座貫１６の左右方向中央に孔状の貫通部３７が上下方向に貫通するように形成されるとともに、後側座貫１７の左右方向中央にも孔状の貫通部３８が上下方向に貫通するように形成されており、更に同図（Ｂ）に示すように、座面２１の左右方向中央に座面２１の前後方向一端部２１ａから前後方向他端部２１ｂへかけて第一、第二、第三および第四の雌ネジ３９，４０，４１，４２が一列に並んで設けられている。尚、この雌ネジ３９，４０，４１，４２はそれぞれ座面２１の下面に設けられているが、図では作図の都合上、平面に描かれている。そして、上記雄ネジ３３，３６と同様な図示しない雄ネジを貫通部３７に下方から差し通して第一の雌ネジ３９にねじ込むとともに今一本の図示しない雄ネジを貫通部３８に下方から差し通して第三の雌ネジ４１にねじ込むか、または上記雄ネジ３３，３６と同様な図示しない雄ネジを貫通部３７に下方から差し通して第二の雌ネジ４０にねじ込むとともに今一本の図示しない雄ネジを貫通部３８に下方から差し通して第四の雌ネジ４２にねじ込むことにより、座面２１が前側座貫１６および後側座貫１７に対して着脱自在に固定されている。
【００２７】
また上記構成において、各部の寸法は、前側座貫１６および後側座貫１７に設けられた貫通部３７，３８間の距離をａ、座面２１の一端部２１ａから第一の雌ネジ３９までの距離をｂ、座面２１の一端部２１ａから第二の雌ネジ４０までの距離をｃ、座面２１の他端部２１ｂから第三の雌ネジ４１までの距離をｄ、座面２１の他端部２１ｂから第四の雌ネジ４２までの距離をｅ、第二および第三の雌ネジ４０，４１間の距離をｆとして、
ｃ＞ｂ＞ｄ＞ｅ・・・・（１）式
および
（ｃ−ｂ）＋ｆ＝（ｄ−ｅ）＋ｆ＝ａ・・・・（２）式
を充足するように設定され、更に、
ｃ−ｂ＝ｂ−ｄ＝ｄ−ｅ・・・・（３）式
を充足するように設定されている。
【００２８】
上記各寸法の具体例は以下のとおりである。
【００２９】
第一例：ａ＝２１０ｍｍ，ｂ＝９５ｍｍ，ｃ＝１１５ｍｍ，ｄ＝７５ｍｍ，ｅ＝５５ｍｍ，ｆ＝１９０ｍｍ
【００３０】
第二例：ａ＝２１０ｍｍ，ｂ＝１００ｍｍ，ｃ＝１２０ｍｍ，ｄ＝８０ｍｍ，ｅ＝６０ｍｍ，ｆ＝１９０ｍｍ
【００３１】
そして、このように寸法設定された座面２１は、以下のようにしてその前後位置を調整することが可能である。
【００３２】
第一段・・・
図３（Ａ）に示すように、座面２１の一端部２１ａを椅子１の前方に向けた状態で、図示しない雄ネジを貫通部３７に差し通して第二の雌ネジ４０にねじ込むとともに、今一本の図示しない雄ネジを貫通部３８に差し通して第四の雌ネジ４２にねじ込む。この場合、上記寸法設定により座面２１の一端部２１ａから第二の雌ネジ４０までの距離ｃが最も大きいため、座面２１の一端部２１ａから背もたれ１２までの座面２１の奥行きが最も深く設定される。
【００３３】
第二段・・・
図３（Ｂ）に示すように、第一段と同じく座面２１の一端部２１ａを椅子１の前方に向けた状態で、図示しない雄ネジを貫通部３７に差し通して第一の雌ネジ３９にねじ込むとともに、今一本の図示しない雄ネジを貫通部３８に差し通して第三の雌ネジ４１にねじ込む。この場合、上記寸法設定により座面２１の一端部２１ａから第一の雌ネジ３９までの距離ｂが二番目に大きいため、座面２１の一端部２１ａから背もたれ１２までの奥行きが二番目に深く設定される。
【００３４】
第三段・・・
図３（Ｃ）に示すように、座面２１の前後方向の向きを反対向きにして座面２１の他端部２１ｂを椅子１の前方に向けた状態で、図示しない雄ネジを貫通部３７に差し通して第三の雌ネジ４１にねじ込むとともに、今一本の図示しない雄ネジを貫通部３８に差し通して第一の雌ネジ３９にねじ込む。この場合、上記寸法設定により座面２１の他端部２１ｂから第三の雌ネジ４１までの距離ｄが三番目に大きいため、座面２１の他端部２１ｂから背もたれ１２までの奥行きが三番目に深く設定される。
【００３５】
第四段・・・
図３（Ｄ）に示すように、第三段と同じく座面２１の前後方向の向きを反対向きにして座面２１の他端部２１ｂを椅子１の前方に向けた状態で、図示しない雄ネジを貫通部３７に差し通して第四の雌ネジ４２にねじ込むとともに、今一本の図示しない雄ネジを貫通部３８に差し通して第二の雌ネジ４０にねじ込む。この場合、上記寸法設定により座面２１の他端部２１ｂから第四の雌ネジ４２までの距離ｅが最も小さいため、座面２１の他端部２１ｂから背もたれ１２までの奥行きが最も浅く設定される。
【００３６】
したがって、このようにして当該連結手段によれば、座面２１の前後位置を段階的に調整することが可能とされ、これにより座面２１の奥行きを段階的に調整することが可能とされている。したがって、上記した座面２１および背もたれ１２の高さ位置の調整と相俟って、子供の成長に合わせて座面２１および背もたれ部１２の高さならびに座面２１の奥行きを調整し得る座り心地の良い椅子１を提供することができる。また、上記（３）式を充足すれば、一定のピッチ（例えば上記数値例では２０ｍｍごと）で座面２１の奥行きを調整することができる。
【００３７】
また、この連結手段によれば、第一段および第二段と第三段および第四段とで座面２１の前後方向の向きを変えることにより座面２１の前後位置を調整するようにしたために、上記したように座貫１６，１７に貫通部３７，３８を二つ、座面２１に雌ネジ３９，４０，４１，４２を四つ設けるだけで、座面２１の前後位置を四段階に亙って調整することができる。したがって、調整可能段数が多い割りに、設けるべき貫通部３７，３８および雌ネジ３９，４０，４１，４２の数が少なくて済むと云う利点を有している。座面２１の一端部２１ａと他端部２１ｂは、前後位置調整時に両者を容易に識別できるよう平面形状を互いに異にして形成されており、具体的には一端部２１ａの方が、より丸みを帯びた平面形状に形成されている。
【００３８】
また、当該実施例に係る椅子１においては、上記したように座部１１および背もたれ１２が一体に形成されているために、座面２１の高さ位置の調整と背もたれ１２の高さ位置の調整は互いに連動して同時に行なわれ、すなわち座面２１の高さ位置を変えると背もたれ１２の高さ位置も同時に変えられ、反対に背もたれ１２の高さ位置を変えると座面２１の高さ位置も同時に変えられる。これに対して、座面２１の前後位置の調整と座面２１および背もたれ１２の高さ位置の調整とは互いに連動しておらず、すなわち座面２１および背もたれ１２の高さ位置の如何にかかわらず座面２１の前後位置を調整可能とされ、反対に座面２１の前後位置の如何にかかわらず座面２１および背もたれ１２の高さ位置を調整可能とされている。このように当該椅子１は、本来的には座面２１の上昇にしたがって座面２１が前に出てくる（座面２１の奥行きがとれる）ことを意図しているが、座面２１の高さ如何にかかわらず座面２１の前後位置を調整可能とされているために、利用者の体型や好み等に応じて座面２１の奥行きを単独で選択することができる。
【００３９】
また、当該実施例に係る椅子１はブナ材等の木材によって製作されており、座面２１の上面には布やビニールなどの被覆層が張られている。締結手段である雌ネジ３２，３５，３９，４０，４１，４２にはウッドアンカーやナット類が含まれ、雄ネジ３３，３６には六角穴付きボルト等のボルト類が含まれる。
【００４０】
また、当該椅子１の組立や分解、座面２１および背もたれ１２の高さ位置の調整や座面２１の前後位置の調整等を行なうに際しては、雄ネジ３３，３６を回すのに図８に示すような六角レンチ５１が用いられることがある。この六角レンチ５１は一般に椅子１の付属品として利用者に提供されるが、使用頻度が低いことから一旦使用した後、紛失しがちである。したがって当該椅子１には、この六角レンチ５１を紛失することがないよう椅子１自体に六角レンチ５１の保管場所が設けられている。この保管場所としては美観上の観点から後側座貫１７の前面など外部から見えにくい場所が適しており、ここに六角レンチ５１の長手部５１ａを差し込んで六角レンチ５１をテープ止めするよう孔状の収容凹部５２が設けられている（図７（Ａ）参照）。
【００４１】
【発明の効果】
本発明は、以下の効果を奏する。
【００４２】
すなわち先ず、上記構成を備えた本発明の請求項１による椅子においては、脚部、座面および背もたれを備えた椅子において、座面および背もたれの高さ位置を調整可能とされるとともに座面の前後位置を調整可能とされているために、子供の成長等に合わせて座面の高さ位置のみならず、背もたれの高さ位置や座面の奥行きを調整することができる座り心地の良い椅子を提供することができる。
【００４４】
また、座面の前後位置の調整を座面の前後方向の向きを変えて固定することにより行なうようにしたために、貫通部や雌ネジ等の締結手段の形成数が少ない場合であっても座面の前後位置の調整段数を多く設定することができ、特に本発明の請求項２による椅子においては、座面の前後位置の調整に関して、座面を着脱自在に支持する座貫に貫通部を二つ座面の前後方向に並べて設け、座面の下面に第一ないし第四の雌ネジを座面の前後方向に並べて設け、二つの貫通部間の距離をａ、座面の前後方向一方の端部から第一の雌ネジまでの距離をｂ、座面の前後方向一方の端部から第二の雌ネジまでの距離をｃ、座面の前後方向他方の端部から第三の雌ネジまでの距離をｄ、座面の前後方向他方の端部から第四の雌ネジまでの距離をｅ、第二および第三の雌ネジ間の距離をｆとして、
ｃ＞ｂ＞ｄ＞ｅ
かつ（ｃ−ｂ）＋ｆ＝（ｄ−ｅ）＋ｆ＝ａ
の関係を充足させるようにしたために、座貫に貫通部を二つ、座面に雌ネジを四つ設けるだけで、座面の前後位置を四段階に亙って調整することができる。したがって、調整可能段数が多い割りに、設けるべき貫通部および雌ネジの数を少なくすることができる。
【図面の簡単な説明】
【図１】本発明の実施例に係る椅子の平面図
【図２】同椅子の正面図
【図３】（Ａ）ないし（Ｄ）とも同椅子の側面図であって座面および背もたれの高さ位置ならびに座面の前後位置の変化を示す説明図
【図４】（Ａ）および（Ｂ）とも同椅子の斜視図
【図５】同椅子における脚部と座部の連結構造を示す説明図
【図６】同椅子における脚部と背もたれの連結構造を示す説明図
【図７】同椅子から座面を取り外した状態の平面図であって、（Ａ）は座面以外の部分の平面図、（Ｂ）は座面の平面図
【図８】雄ネジを回す六角レンチの説明図
【符号の説明】
１  椅子
２  脚部
３  脚
４  前脚
５  後脚
６  肘掛け
７  脚側貫
８  脚前貫
９  脚後貫
１１  座部
１２  背もたれ
１３  座側
１４  下側座側
１５  上側座側
１６  前側座貫
１７  後側座貫
１８  下側背貫
１９  中央背貫
２０  上側背貫
２１  座面
２１ａ  一端部
２１ｂ  他端部
３１，３４，３７，３８  貫通部
３２，３５，３９，４０，４１，４２  雌ネジ
３３，３６  雄ネジ
５１  六角レンチ
５１ａ  長手部
５２  収容凹部
【図１】
0003673214.tif 000002
【図２】
0003673214.tif 000003
【図３】
0003673214.tif 000004
【図４】
0003673214.tif 000005
【図５】
0003673214.tif 000006
【図６】
0003673214.tif 000007
【図７】
0003673214.tif 000008
【図８】
0003673214.tif 000009